(57)【要約】【課題】建物構築の進捗状況を容易に把握できる建物の施工管理支援システムを提供すること。【解決手段】建物の施工管理支援システム１は、各部材のうち基準日において施工が完了しているものを、施工完了部材として抽出する施工完了部材抽出手段１１と、各部材のうち基準日において順調に施工中であるものを、施工順調部材として抽出する施工順調部材抽出手段１２と、各部材のうち基準日において予定を繰り上げて施工中であるものを、施工繰上部材３３として抽出する施工繰上部材抽出手段１３と、各部材のうち基準日において施工が遅延しているものを、施工遅延部材として抽出する施工遅延部材抽出手段１４と、施工完了部材、施工順調部材、施工繰上部材、および施工遅延部材を、三次元の仮想空間上に立体的かつ視覚的に互いに識別可能に表示する表示手段１６と、を備える。【選択図】図１
2018198019.tif 000002
【特許請求の範囲】
【請求項１】
建物の施工管理を支援する建物の施工管理支援システムであって、
前記建物を構成する各部材について、位置、形状、施工開始予定日、施工完了予定日、実際の施工開始日、および実際の施工完了日を設定するとともに、施工管理の基準となる基準日として設定する設定手段と、
前記各部材のうち前記基準日において施工が完了しているものを、施工完了部材として抽出する施工完了部材抽出手段と、
前記各部材のうち前記基準日において予定通りに順調に施工中であるものを、施工順調部材として抽出する施工順調部材抽出手段と、
前記各部材のうち前記基準日において予定を繰り上げて施工中であるものを、施工繰上部材として抽出する施工繰上部材抽出手段と、
前記各部材のうち前記基準日において施工が遅延しているものを、施工遅延部材として抽出する施工遅延部材抽出手段と、
前記施工完了部材、前記施工順調部材、施工繰上部材、および前記施工遅延部材を、三次元の仮想空間上に立体的かつ視覚的に互いに識別可能に表示する表示手段と、を備えることを特徴とする建物の施工管理支援システム。
【請求項２】
前記施工完了部材抽出手段は、前記各部材のうち、前記基準日が前記実際の施工完了日以後のものを抽出して、施工完了部材とし、
前記施工順調部材抽出手段は、前記各部材のうち、前記基準日が前記実際の施工開始日以後で前記実際の施工完了日よりも前でかつ前記施工開始予定日以後で前記施工完了予定日よりも前のものを抽出して、施工順調部材とし、
前記施工繰上部材抽出手段は、前記各部材のうち、前記基準日が前記実際の施工開始日以後で前記実際の施工完了日よりも前でかつ前記施工開始予定日よりも前のものを抽出して、施工繰上部材とし、
前記施工遅延部材抽出手段は、前記各部材のうち、前記基準日が前記実際の施工開始日よりも前でかつ前記施工開始予定日以後のものを抽出して、施工遅延部材とするとともに、前記各部材のうち、前記基準日が前記実際の施工完了日よりも前でかつ前記施工完了予定日以後のものを抽出して、施工遅延部材とすることを特徴とする請求項１に記載の建物の施工管理支援システム。
【請求項３】
前記設定手段は、前記各部材について、当該部材を構築するのに必要な施工費を設定し、
前記施工完了部材の施工費の総額を、出来高として算出する出来高算出手段をさらに備え、
前記表示手段は、当該出来高を表示することを特徴とする請求項１または２に記載の建物の施工管理支援システム。
【請求項４】
建物の施工管理を支援する建物の施工管理支援方法であって、
前記建物を構成する各部材について、位置、形状、施工開始予定日、施工完了予定日、実際の施工開始日、および実際の施工完了日を設定する第１の手順と、
施工管理の基準となる基準日を設定する第２の手順と、
前記各部材のうち前記基準日において施工が完了しているものを施工完了部材として抽出するとともに、前記各部材のうち前記基準日において予定通りに順調に施工中であるものを施工順調部材として抽出し、前記各部材のうち前記基準日において予定を繰り上げて施工中であるものを施工繰上部材として抽出し、前記各部材のうち前記基準日において施工が遅延しているものを施工遅延部材として抽出する第３の手順と、
前記施工完了部材、前記施工順調部材、前記施工繰上部材、および前記施工遅延部材を、三次元の仮想空間上に立体的かつ視覚的に互いに識別可能に表示する第４の手順と、を備えることを特徴とする建物の施工管理支援方法。
【請求項５】
前記第３の手順では、前記各部材のうち、前記基準日が前記実際の施工完了日以後のものを抽出して、施工完了部材とし、
前記各部材のうち、前記基準日が前記実際の施工開始日以後で前記実際の施工完了日よりも前でかつ前記施工開始予定日以後で前記施工完了予定日よりも前のものを抽出して、施工順調部材とし、
前記各部材のうち、前記基準日が前記実際の施工開始日以後で前記実際の施工完了日よりも前でかつ前記施工開始予定日よりも前のものを抽出して、施工繰上部材とし、
前記各部材のうち、前記基準日が前記実際の施工開始日よりも前でかつ前記施工開始予定日以後のものを抽出して、施工遅延部材とするとともに、前記各部材のうち、前記基準日が前記実際の施工完了日よりも前でかつ前記施工完了予定日以後のものを抽出して、施工遅延部材とすることを特徴とする請求項４に記載の建物の施工管理支援方法。
【請求項６】
前記第１の手順では、前記各部材について、当該部材を構築するのに必要な施工費を設定し、
前記第３の手順では、前記施工完了部材の施工費の総額を出来高として算出し、
前記第４の手順では、当該出来高を表示することを特徴とする請求項４または５に記載の建物の施工管理支援方法。
【請求項７】
建物の施工管理を支援する建物の施工管理支援プログラムであって、
コンピュータに、
請求項４から６のいずれかに記載の建物の施工管理支援方法を実行させることを特徴とする建物の施工管理支援プログラム。
【発明の詳細な説明】
【技術分野】
【０００１】
本発明は、建物の施工管理を支援する建物の施工管理支援システム、建物の施工管理支援方法、および建物の施工管理支援プログラムに関する。
【背景技術】
【０００２】
従来より、三次元の仮想空間上に建物のデジタルモデルを作成し、この建物を構成する部材に名称、形状、仕様などの属性情報を紐付けることで、建物の設計や施工を支援する、ＢＩＭ(Building Information Modeling)が知られている。
特許文献１では、ベース図面とこのベース図面に割り当てる割り当て図面とのそれぞれについて、通り芯の検索範囲を設定してその範囲内について通り芯を検索するステップＳ１〜Ｓ８と、ベース図面および割り当て図面の縮尺や縦横比を考慮して、ベース図面および割り当て図面の通り芯同士が一致するように、座標軸の位置調整を行なうステップＳ９と、を備える施工情報管理方法が示されている。
【先行技術文献】
【特許文献】
【０００３】
【特許文献１】特開２０１５−１１８５３５号公報
【発明の概要】
【発明が解決しようとする課題】
【０００４】
しかしながら、特許文献１では、建物を構成する部材に建物の工程や施工費についての情報が紐付けられておらず、建物構築の進捗状況を把握することが困難であった。
【０００５】
本発明は、建物構築の進捗状況を容易に把握できる、建物の施工管理支援システム、建物の施工管理支援方法、および建物の施工管理支援プログラムを提供することを目的とする。
【課題を解決するための手段】
【０００６】
請求項１に記載の建物の施工管理支援システムは、建物の施工管理を支援する建物の施工管理支援システム（例えば、後述の建物の施工管理支援システム１）であって、前記建物（例えば、後述の建物３０）を構成する各部材について、位置、形状、施工開始予定日、施工完了予定日、実際の施工開始日、および実際の施工完了日を設定するとともに、施工管理の基準となる基準日として設定する設定手段（例えば、後述の設定手段１０）と、前記各部材のうち前記基準日において施工が完了しているものを、施工完了部材（例えば、後述の施工完了部材３１）として抽出する施工完了部材抽出手段（例えば、後述の施工完了部材抽出手段１１）と、前記各部材のうち前記基準日において予定通りに順調に施工中であるものを、施工順調部材（例えば、後述の施工順調部材３２）として抽出する施工順調部材抽出手段（例えば、後述の施工順調部材抽出手段１２）と、前記各部材のうち前記基準日において予定を繰り上げて施工中であるものを、施工繰上部材（例えば、後述の施工繰上部材３３）として抽出する施工繰上部材抽出手段（例えば、後述の施工繰上部材抽出手段１３）と、前記各部材のうち前記基準日において施工が遅延しているものを、施工遅延部材（例えば、後述の施工遅延部材３４）として抽出する施工遅延部材抽出手段（例えば、後述の施工遅延部材抽出手段１４）と、前記施工完了部材、前記施工順調部材、施工繰上部材、および前記施工遅延部材を、三次元の仮想空間上に立体的かつ視覚的に互いに識別可能に表示する表示手段（例えば、後述の表示手段１６）と、を備えることを特徴とする。
【０００７】
ここで、建物を構成する各部材の名称、位置、形状の情報については、例えば、設定手段により、三次元の仮想空間上において建物を立体的に設計できるＢＩＭ（Building Information Modeling）ソフトウエアから取り込んで設定してもよい。
また、建物を構成する各部材の施工費、施工開始予定日、施工完了予定日、実際の施工開始日、および実際の施工完了日などの情報については、例えば、設定手段により、建物の工程管理を支援するソフトウエアから取り込んで設定してもよい。
また、表示手段として、例えば、ＢＩＭ（Building Information Modeling）ソフトウエアを用いて、三次元の仮想空間上に部材の位置や形状を立体的に表示してもよい。
【０００８】
この発明によれば、基準日を設定することで、この基準日において施工が完了している施工完了部材、基準日において予定通りに順調に施工中である施工順調部材、基準日において予定を繰り上げて施工中である施工繰上部材、および、基準日において施工が遅延している施工遅延部材が、三次元の仮想空間上に立体的かつ視覚的互いに識別可能に表示される。よって、建物構築の進捗状況を視覚的に容易に把握でき、施工管理が容易となる。
【０００９】
請求項２に記載の建物の施工管理支援システムは、前記施工完了部材抽出手段は、前記各部材のうち、前記基準日が前記実際の施工完了日以後のものを抽出して、施工完了部材とし、前記施工順調部材抽出手段は、前記各部材のうち、前記基準日が前記実際の施工開始日以後で前記実際の施工完了日よりも前でかつ前記施工開始予定日以後で前記施工完了予定日よりも前のものを抽出して、施工順調部材とし、前記施工繰上部材抽出手段は、前記各部材のうち、前記基準日が前記実際の施工開始日以後で前記実際の施工完了日よりも前でかつ前記施工開始予定日よりも前のものを抽出して、施工繰上部材とし、前記施工遅延部材抽出手段は、前記各部材のうち、前記基準日が前記実際の施工開始日よりも前でかつ前記施工開始予定日以後のものを抽出して、施工遅延部材とするとともに、前記各部材のうち、前記基準日が前記実際の施工完了日よりも前でかつ前記施工完了予定日以後のものを抽出して、施工遅延部材とすることを特徴とする。
【００１０】
請求項３に記載の建物の施工管理支援システムは、前記設定手段は、前記各部材について、当該部材を構築するのに必要な施工費を設定し、前記施工完了部材の施工費の総額を、出来高として算出する出来高算出手段（例えば、後述の出来高算出手段１５）をさらに備え、前記表示手段は、当該出来高を表示することを特徴とする。
【００１１】
この発明によれば、施工完了部材の施工費の総額を出来高として算出して表示したので、建物構築の進捗状況を視覚的だけではなく、金額面でも容易に把握できる。
【００１２】
請求項４に記載の建物の施工管理支援方法は、建物の施工管理を支援する建物の施工管理支援方法であって、前記建物を構成する各部材について、位置、形状、施工開始予定日、施工完了予定日、実際の施工開始日、および実際の施工完了日を設定する第１の手順（例えば、後述のステップＳ１）と、施工管理の基準となる基準日を設定する第２の手順（例えば、後述のステップＳ２）と、前記各部材のうち前記基準日において施工が完了しているものを施工完了部材として抽出するとともに、前記各部材のうち前記基準日において予定通りに順調に施工中であるものを施工順調部材として抽出し、前記各部材のうち前記基準日において予定を繰り上げて施工中であるものを、施工繰上部材として抽出し、前記各部材のうち前記基準日において施工が遅延しているものを施工遅延部材として抽出する第３の手順（例えば、後述のステップＳ３）と、前記施工完了部材、前記施工順調部材、前記施工繰上部材、および前記施工遅延部材を、三次元の仮想空間上に立体的かつ視覚的に互いに識別可能に表示する第４の手順（例えば、後述のステップＳ４）と、を備えることを特徴とする。
【００１３】
この発明によれば、請求項１と同様の効果がある。
【００１４】
請求項５に記載の建物の施工管理支援方法は、前記第３の手順では、前記各部材のうち、前記基準日が前記実際の施工完了日以後のものを抽出して、施工完了部材とし、前記各部材のうち、前記基準日が前記実際の施工開始日以後で前記実際の施工完了日よりも前でかつ前記施工開始予定日以後で前記施工完了予定日よりも前のものを抽出して、施工順調部材とし、前記各部材のうち、前記基準日が前記実際の施工開始日以後で前記実際の施工完了日よりも前でかつ前記施工開始予定日よりも前のものを抽出して、施工繰上部材とし、前記各部材のうち、前記基準日が前記実際の施工開始日よりも前でかつ前記施工開始予定日以後のものを抽出して、施工遅延部材とするとともに、前記各部材のうち、前記基準日が前記実際の施工完了日よりも前でかつ前記施工完了予定日以後のものを抽出して、施工遅延部材とすることを特徴とする。
【００１５】
請求項６に記載の建物の施工管理支援方法は、前記第１の手順では、前記各部材について、当該部材を構築するのに必要な施工費を設定し、前記第３の手順では、前記施工完了部材の施工費の総額を出来高として算出し、前記第４の手順では、当該出来高を表示することを特徴とする。
【００１６】
この発明によれば、請求項３と同様の効果がある。
【００１７】
請求項７に記載の建物の施工管理支援プログラムは、建物の施工管理を支援する建物の施工管理支援プログラムであって、コンピュータに、上述の建物の施工管理支援方法を実行させることを特徴とする。
【発明の効果】
【００１８】
本発明によれば、建物構築の進捗状況を容易に把握できる。
【図面の簡単な説明】
【００１９】
【図１】本発明の一実施形態に係る建物の施工管理支援システムの構成を示すブロック図である。
【図２】前記実施形態に係る建物の施工管理支援システムが適用される建物の各部材について、施工開始予定日、施工完了予定日、実際の施工開始日、および実際の施工完了日の時系列のパターン（その１）である。
【図３】前記実施形態に係る建物の各部材について、施工開始予定日、施工完了予定日、実際の施工開始日、および実際の施工完了日の時系列のパターン（その２）である。
【図４】前記実施形態に係る建物の施工管理支援システムの表示装置であるモニタ画面の一例である。
【図５】前記実施形態に係る建物の施工管理支援システムの表示装置であるモニタ画面の別の例である。
【図６】前記実施形態に係る建物の施工管理支援システムにより建物の施工管理の支援を行う手順のフローチャートである。
【発明を実施するための形態】
【００２０】
以下、本発明の一実施形態について、図面を参照しながら説明する。
図１は、本発明の一実施形態に係る建物の施工管理支援システム１の構成を示すブロック図である。
建物の施工管理支援システム１は、建物の施工管理作業を支援するものである。この建物の施工管理支援システム１は、入力装置２、表示装置３、演算処理装置４、および記憶装置５を備える。
【００２１】
入力装置２は、演算処理装置４に情報を入力する装置であり、キーボードやマウスのほか、タッチパネルなどがある。
表示装置３は、入力装置２で入力された情報や演算処理装置４から出力された情報を表示する装置であり、例えばモニタである。
【００２２】
記憶装置５は、種々の情報を記憶する装置であり、例えばハードディスクである。
演算処理装置４は、コンピュータであり、記憶装置５に記憶されたプログラムを読み出して、動作制御を行うＯＳ（Ｏｐｅｒａｔｉｎｇ  Ｓｙｓｔｅｍ）上に展開して実行するものである。
【００２３】
演算処理装置４は、設定手段１０、施工完了部材抽出手段１１、施工順調部材抽出手段１２、施工繰上部材抽出手段１３、施工遅延部材抽出手段１４、出来高算出手段１５、および表示手段１６を備える。
【００２４】
設定手段１０は、建物を構成する各部材について、名称、位置、形状、当該部材を構築するのに必要な施工費、施工開始予定日、施工完了予定日、実際の施工開始日、および実際の施工完了日を設定し、記憶装置５に記憶させる。
また、設定手段１０は、入力装置２により特定の日にちが入力されると、この日にちを施工管理の基準となる基準日として設定して、記憶装置５に記憶させる。
【００２５】
施工完了部材抽出手段１１は、各部材のうち基準日において施工が完了しているものを、施工完了部材として抽出する。具体的には、施工完了部材抽出手段１１は、各部材のうち、基準日が実際の施工完了日以後のものを抽出して、施工完了部材とする。
【００２６】
例えば、各部材について、施工開始予定日、施工完了予定日、実際の施工開始日、および実際の施工完了日を時系列に並べると、図２および図３に示すように、パターンＡ、パターンＢ、パターンＣ、パターンＤ、パターンＥ、パターンＦの６通りがある。
図２および図３のパターンＡ〜Ｆに示すように、基準日が実際の施工完了日以後となる場合、当該部材は施工完了部材となる。
【００２７】
施工順調部材抽出手段１２は、各部材のうち基準日において、予定通りに順調に施工中であるものを、施工順調部材として抽出する。
【００２８】
具体的には、施工順調部材抽出手段１２は、各部材のうち、基準日が実際の施工開始日以後で実際の施工完了日よりも前で、かつ、施工開始予定日以後で施工完了予定日よりも前のものを抽出して、施工順調部材とする。これは、基準日において施工中であり、かつ、予定された施工期間中であれば、施工が順調であると判定するものである。
例えば、図２および図３のパターンＡ、Ｃ、Ｄ、Ｆに示すように、基準日が実際の施工開始日以後で実際の施工完了日よりも前でかつ施工開始予定日以後で施工完了予定日よりも前となる場合、当該部材は施工順調部材となる。
【００２９】
施工繰上部材抽出手段１３は、各部材のうち基準日において、予定を繰り上げて施工中であるものを、施工繰上部材として抽出する。
【００３０】
具体的には、施工繰上部材抽出手段１３は、各部材のうち、基準日が実際の施工開始日以後で実際の施工完了日よりも前で、かつ、施工開始予定日よりも前のものを抽出して、施工繰上部材とする。これは、基準日において施工中であり、かつ、予定された施工期間よりも前であれば、予定を繰り上げて早期に施工していると判定するものである。
例えば、図２および図３のパターンＤ〜Ｆに示すように、基準日が実際の施工開始日以後で実際の施工完了日よりも前でかつ施工開始予定日よりも前となる場合、当該部材は施工繰上部材となる。
【００３１】
施工遅延部材抽出手段１４は、各部材のうち基準日において施工が遅延しているものを、施工遅延部材として抽出する。
【００３２】
具体的には、施工遅延部材抽出手段１４は、各部材のうち、基準日が実際の施工開始日よりも前でかつ施工開始予定日以後のものを抽出して、施工遅延部材とする。これは、基準日において、施工開始予定日が経過しているにもかかわらず、実際の施工が開始されておらず、未着手であるため、遅延していると判定するものである。
例えば、図２のパターンＡ〜Ｃに示すように、基準日が実際の施工開始日よりも前でかつ施工開始予定日以後となる場合、当該部材は施工遅延部材となる。
【００３３】
また、施工遅延部材抽出手段１４は、各部材のうち、基準日が実際の施工完了日よりも前でかつ施工完了予定日以後のものを抽出して、施工遅延部材とする。これは、基準日において、施工完了予定日が経過しているにもかかわらず、実際の施工が完了していないため、遅延していると判断するものである。
例えば、図２および図３のパターンＡ、Ｂ、Ｆに示すように、基準日が実際の施工完了日よりも前でかつ施工完了予定日以後となる場合、当該部材は施工遅延部材となる。
【００３４】
出来高算出手段１５は、施工完了部材の施工費の合計額を出来高として算出する。
表示手段１６は、施工完了部材、施工順調部材、施工繰上部材、および施工遅延部材を、表示装置３に表示するとともに（図４および図５参照）、出来高も表示するものである。具体的には、表示手段１６は、施工完了部材、施工順調部材、施工繰上部材、および施工遅延部材を、三次元の仮想空間上に立体的かつ視覚的に互いに識別可能に表示する。
【００３５】
例えば、図４は、表示装置３であるモニタの画面２０の一例である。
この画面２０の右側には、３階建ての建物３０が三次元の仮想空間上に立体的に表示されている。具体的には、建物３０の１階床、１階柱、２階梁、２階床、２階柱、および３階梁は、施工完了部材３１であり、実線で表示されている。また、建物３０の３階床は、施工順調部材３２であり、実線で表示されて斜線でハッチングされている。また、建物３０の３階柱は、施工遅延部材３４であり、破線で表示されている。
【００３６】
また、画面２０の左上には、基準日（２０１６年７月２３日）が表示されている。
また、画面２０の左上には、施工遅延部材３４である３階柱が未着手であること、施工順調部材３２である３階床が順調に施工中であること、施工完了部材３１である３階梁が施工完了であることが示されている。
また、画面２０の左上には、基準日における出来高も表示されている。
【００３７】
また、画面２０の左下には、３階柱、３階床、３階梁について、それぞれ、施工開始予定日、施工完了予定日、実際の施工開始日、実際の施工完了日、施工費が示されている。
この画面２０を見るだけで、基準日において、３階柱の構築が遅延していることが理解可能となっている。
【００３８】
また、例えば、図５は、表示装置３であるモニタの画面２０の別の例である。
この画面２０の右側には、３階建ての建物３０が三次元の仮想空間上に立体的に表示されている。具体的には、建物３０の１階床、１階柱、２階梁、２階床、２階柱、および３階梁は、施工完了部材３１であり、実線で表示されている。また、建物３０の３階床は、施工順調部材３２であり、実線で表示されて斜線でハッチングされている。また、建物３０の３階柱は、施工繰上部材３３であり、実線で表示されてドットでハッチングされている。
【００３９】
また、画面２０の左上には、基準日（２０１６年７月２３日）が表示されている。
また、画面２０の左上には、施工遅延部材３４である３階柱が繰り上げて施工中であること、施工順調部材３２である３階床が順調に施工中であること、施工完了部材３１である３階梁が施工完了であることが示されている。
また、画面２０の左上には、基準日における出来高も表示されている。
【００４０】
また、画面２０の左下には、３階柱、３階床、３階梁について、それぞれ、施工開始予定日、施工完了予定日、実際の施工開始日、実際の施工完了日、施工費が示されている。
この画面２０を見るだけで、基準日において、３階柱の構築が繰り上げて施工していることが理解可能となっている。
【００４１】
以上の建物の施工管理支援システム１により建物の施工管理の支援を行う手順について、図６のフローチャートを参照しながら説明する。
【００４２】
まず、ステップＳ１では、設定手段１０により、建物を構成する各部材について、名称、位置、形状、施工費、施工開始予定日、施工完了予定日、実際の施工開始日、および実際の施工完了日を設定して、記憶装置５に記憶させる。
【００４３】
ステップＳ２では、設定手段１０により、施工管理の基準となる基準日を設定する。
ステップＳ３では、施工完了部材抽出手段１１により、基準日において施工が完了している施工完了部材を抽出する。また、施工順調部材抽出手段１２により、基準日において順調に施工中である施工順調部材を抽出する。また、施工繰上部材抽出手段１３により、基準日において予定を繰り上げて早期に施工中である施工繰上部材を抽出する。また、施工遅延部材抽出手段１４により、基準日において施工が遅延している施工遅延部材を抽出する。また、出来高算出手段１５により出来高を算出する。
【００４４】
ステップＳ４では、表示手段１６により、施工完了部材、施工順調部材、施工繰上部材、および施工遅延部材を、三次元の仮想空間上に立体的かつ視覚的に互いに識別可能に表示する。また、表示手段１６により、出来高を表示する。
【００４５】
本実施形態によれば、以下のような効果がある。
（１）基準日を設定することで、この基準日において施工が完了している施工完了部材３１、基準日において順調に施工している施工順調部材３２、基準日において繰り上げて施工している施工繰上部材３３、および、基準日において施工が遅延している施工遅延部材３４が、モニタの画面２０に視覚的互いに識別可能に表示される。よって、建物３０の構築の進捗状況を視覚的に容易に把握でき、施工管理が容易となる。
【００４６】
（２）施工完了部材の施工費の総額である出来高を算出して、モニタの画面２０にこの出来高を表示したので、建物３０の構築の進捗状況を視覚的だけではなく、金額面でも容易に把握できる。
【００４７】
なお、本発明は前記実施形態に限定されるものではなく、本発明の目的を達成できる範囲での変形、改良等は本発明に含まれるものである。
例えば、本実施形態では、施工完了部材、施工順調部材、および施工遅延部材を、実線や破線で表示したり、ハッチングとして斜線やドットを用いることで、視覚的に互いに識別可能に表示したが、これに限らず、各部材を、表示色を異ならせたり半透明で表示したりすることで、視覚的に互いに識別可能に表示してもよい。
【符号の説明】
【００４８】
１…建物の施工管理支援システム  ２…入力装置  ３…表示装置
４…演算処理装置  ５…記憶装置
１０…設定手段  １１…施工完了部材抽出手段  １２…施工順調部材抽出手段
１３…施工繰上部材抽出手段  １４…施工遅延部材抽出手段  １５…出来高算出手段
１６…表示手段  ２０…モニタの画面
３０…建物  ３１…施工完了部材  ３２…施工順調部材
３３…施工繰上部材  ３４…施工遅延部材
【図１】
2018198019.tif 000003
【図２】
2018198019.tif 000004
【図３】
2018198019.tif 000005
【図４】
2018198019.tif 000006
【図５】
2018198019.tif 000007
【図６】
2018198019.tif 000008